(57)【要約】【課題】  中断したジョブを再開する場合において、レジューム機能を備えていない画像形成装置からジョブを再開することを可能にする。【解決手段】  画像形成装置は、通信手段を有する他のデバイスと接続可能なインターフェース・ポートと、ユーザ認証を行う手段と、ユーザ認証時のログイン情報、接続したデバイスの固有情報、前記デバイスの固有ＩＤから暗号化キー情報を生成して前記デバイスに転送する手段と、前記暗号化キー情報を元に前記デバイス間で行ったジョブの処理情報をレジュームデータとして暗号化し保存する手段と、を備え、前記デバイスとの接続が解除されるとジョブの終了か中断かを判別して終了の場合はレジュームデータを消去し、中断の場合はそのまま保持し、ユーザ認証後前記デバイスを再接続して作業を再開する場合には暗号化キーをデバイスより読み出してレジュームデータをロードして復号化を行い作業の再開を行う。【選択図】  図８
2009152764.tif 000002
【特許請求の範囲】
【請求項１】
通信手段を有する他のデバイスと接続可能なインターフェース・ポートと、ユーザ認証を行う手段と、
ユーザ認証時のログイン情報、接続したデバイスの固有情報、前記デバイスの固有ＩＤから暗号化キー情報を生成して前記デバイスに転送する手段と、
前記暗号化キー情報を元に前記デバイス間で行ったジョブの処理情報をレジュームデータとして暗号化し保存する手段と、を備え、
前記デバイスとの接続が解除されるとジョブの終了か中断かを判別して終了の場合はレジュームデータを消去し、中断の場合はそのまま保持し、ユーザ認証後前記デバイスを再接続して作業を再開する場合には暗号化キーをデバイスより読み出してレジュームデータをロードして復号化を行い作業の再開を行う事を特徴とする画像形成装置。
【発明の詳細な説明】
【技術分野】
【０００１】
本発明は、通信手段を備え、他のデバイスとの連携処理が可能な画像形成装置に関する。
【背景技術】
【０００２】
MFPなどの画像形成装置に無線通信技術等を利用した他のデバイスとの接続インターフェイスのポートを備え、携帯電話やデジタルカメラ等のデバイスを無線通信にて簡易的に接続して連携させることにより、さまざまな操作を行う事が考えられている。また、デバイスを接続して作業中にユーザ側の様々な都合によって中断せざるを得ない状況が想定される。作業状態をレジュームデータとして保存する事は知られている（特許文献１参照）。
【特許文献１】特開平６−８３７４６号公報
【発明の開示】
【発明が解決しようとする課題】
【０００３】
しかしながら従来までの方法では、特定のユーザとデバイスとMFP単位で連携作業状態をレジュームデータとして管理を行うというものは無かった。そのため、もう一度デバイスを接続して作業の再開を行う場合には、レジューム機能が無い機器では最初からやり直す必要が有った。また、再開時に当該MFPが使用されていた場合にはそのジョブ終了時まで待たねばならないという問題があった。
【０００４】
更に、レジュームデータをロードするためのキー情報をMFP側で管理すると他の機器ではレジュームデータのロードが出来ず、Felica（登録商標）チップ等の利用はFelicaチップの記憶容量の制限やFelicaリーダーの無い機器では利用できないという問題もあった。
【課題を解決するための手段】
【０００５】
本発明は上述の課題を解決するためになされたものであり、本発明は、通信手段を有する他のデバイスと接続可能なインターフェース・ポートと、ユーザ認証を行う手段と、ユーザ認証時のログイン情報、接続したデバイスの固有情報、前記デバイスの固有ＩＤから暗号化キー情報を生成して前記デバイスに転送する手段と、前記暗号化キー情報を元に前記デバイス間で行ったジョブの処理情報をレジュームデータとして暗号化し保存する手段と、を備え、前記デバイスとの接続が解除されるとジョブの終了か中断かを判別して終了の場合はレジュームデータを消去し、中断の場合はそのまま保持し、ユーザ認証後前記デバイスを再接続して作業を再開する場合には暗号化キーをデバイスより読み出してレジュームデータをロードして復号化を行い作業の再開を行うことを特徴とする画像形成装置を提供することにある。
【発明の効果】
【０００６】
本発明によれば、ユーザ、デバイス単位でMFP内にレジュームデータを作成することで、デバイス連携における中断作業再開時のユーザビリティの向上することができる。
【０００７】
また、特別な認証手段無しに、ストレージをもつ連携可能な全てのデバイスにおいて同一ネットワーク上の他のMFPでのデバイス再接続時におけるレジューム機能の実現することができる。
【発明を実施するための最良の形態】
【０００８】
図ｌは本発明の実施が適用される画像処理装置の構成を示すブロック図である。リーダ部ｌは原稿の画像を読み取り、原稿画像に応じた画像データをプリンタ部２及び画像入出力制御部３へ出力する。プリンタ部２はリーダ部ｌ及び画像入出力制御部３からの画像データに応じた画像を記録紙上に記録する。画像入出力制御部３はリーダ部ｌに接続されており、ファクシミリ部４、ファイル部５、ネットワークインターフェイス部７、LIPSフォーマッタ部８、ポストスクリプトフォーマッタ部９、コア部ｌ０などからなる。
【０００９】
ファクシミリ部４は電話回線を介して受信した圧縮画像データを伸長して、伸長された画像データをコア部ｌ０へ転送し、又、コア部ｌ０から転送された画像データを圧縮して、圧縮された圧縮画像データを電話回線を介して送信する。ファイル部５には光磁気ディスクドライブユニット６が接続されており、ファイル部５はコア部ｌ０から転送された画像データを圧縮し、その画像データを検索するためのキーワードとともに光磁気ディスクドライブユニット６にセットされた光磁気ディスクに記憶させる。又、ファイル部５はコア部ｌ０を介して転送されたキーワードに基づいて光磁気ディスクに記憶されている圧縮画像データを検索し、検索された圧縮画像データを読み出して伸長し、伸長された画像データをコア部１０へ転送する。ネットワークインターフェイス部７は、パーソナルコンピュータ又はワークステーション（ＰＣ／ＷＳ）ｌｌとコア部ｌ０の間のインターフェイスである。１２はネットワークサーバーであり、ネットワーク制御の中枢である。フォーマッタ部８、９はＰＣ／ＷＳｌｌから転送されたＰＤＬデータをプリンタ部２で記録できる画像データに展開するものである。コア部ｌ０については後述するが、コア部ｌ０はリーダ部ｌ、ファクシミリ部４、ファイル部５、ネットワークインターフェイス部７、フォーマッタ部８、９のそれぞれの間のデータの流れを制御するものである。
【００１０】
図２はリーダ部ｌ及びプリンタ部２の断面図である。リーダ部ｌの原稿給送装置ｌ０ｌは原稿を最終頁から順にｌ枚ずつプラテンガラスｌ０２上へ給送し、原稿の読み取り動作終了後、プラテンガラス１０２上の原稿を排出するものである。原稿がプラテンガラス１  ０２上に搬送されると、ランプｌ０３を点灯し、そしてスキャナユニットｌ０４の移動を開始させて、原稿を露光走査する。この時の原稿からの反射光は、ミラーｌ０５、ｌ０６、ｌ０７、及びレンズｌ０８によってＣＣＤイメージセンサ（以下ＣＣＤという）
１０９へ導かれる。このように、走査された原稿の画像はＣＣＤｌ０９によって読み取られるＣＣＤ１０９から出力される画像データは、所定の処理が施された後、プリンタ部２及ぴ画像入出力制御部３のコア部１０へ転送される。
【００１１】
プリンタ部２のレーザドライバ２２ｌはレーザ発光部２０ｌを駆動するものであり、リーダ部ｌから出力された画像データに応したレーザ光をレーザ発光部２０ｌに発光させる。このレーザ光は感光ドラム２０２に照射され、感光ドラム２０２にはレーザ光に応じた潜像が形成される。この感光ドラム２０２の潜像の部分には現像器２０３によって現像剤が付着される。そして、レーザ光の照射開始と同期したタイミングで、カセット２０４及びカセット２０５のいずれかから記録紙を給紙して転写部２０６へ搬送し、感光ドラム２０２に付着された現像剤を記録紙に転写する。現像剤の乗った記録紙は定着部２０７に搬送され、定着部２０７の熱と圧力により現像剤は記像紙に定者される。定着部２０７を通過した記録紙は排出ローラ２０８によって排出され、ソータ２２０は排出された記録紙をそれぞれのピンに収納して記録紙の仕分けを行う。なお、ソータ２２０は仕分けが設定されていない場合は最上ビンに記録紙を収納する。また、両面記録が設定されている場合は、排出ローラ２０８のところまで記録紙を搬送した後、排出ローラ２０８の回転方向を逆転させ、フラッパ２０９によって再給紙搬送路へ導く。多重記録が設定されている場合は、記録紙を排出ローラ２０８まで搬送しないようにフラッパ２０９によって再給紙搬送路へ導く。再給紙搬送路へ導かれた記録紙は上述したタイミングで転写部２０６へ給紙される。
【００１２】
図３はリーダ部ｌのブロック図である。ＣＣＤｌ０９から出力された画像データはＡ／Ｄ・ＳＨ部ｌｌ０でアナログ／デジタル変換が行われるとともに、シェーディング補正が行われる。Ａ／Ｄ・ＳＨ部ｌｌ０によって処理された画像データは画像処理部ｌｌｌを介してプリンタ部２へ転送されるとともに、インターフェイス部１１３を介して画像入出力制御部３のコア部１０へ転送される。ＣＰＵ１１４は操作部１１５で設定された設定内容に応じて画像処理部１ｌ１及びインターフェイス１１３を制御する。例えば、操作部１１５でトリミング処理を行って複写を行う複写モードが設定されている場合は、画像処理部１１１でトリミング処理を行わせてプリンタ部２へ転送させる。また、操作部ｌｌ５でファクシミリ送信モードが設定されている場合は、インターフェイス１１３から画像データと設定されたモードに応じた制御コマンドをコア部ｌ０へ転送させる。このようなＣＰＵ１１４の制御プログラムはメモリ１１６に記憶されており、ＣＰＵ１１４はメモリ１１６を参照しながら制御を行う。また、メモリ１１６はＣＰＵ１１４の作業領域としても使われる。
【００１３】
図４はコア部１０のブロック図である。リーダ部１からの画像データはデータ処理部１２１へ転送されるとともに、リーダ部１からの制御コマンドはＣＰＵ１２３へ転送される。データ処理部１２１は画像の回転処理や変倍処理などの画像処理を行うものであり、リーダ部１からデータ処理部１２１へ転送された画像データは、リーダ部１から転送された制御コマンドに応じて、インターフェイス１２０を介してファクシミリ部４、ファイル部５、ネットワークインターフェイス部７へ転送される。また、ネットワークインターフェイス部7を介して入力された画像を表すコードデータは、データ処理部１２１に転送され、そのＰＤＬがLIPSであるのかあるいはポストスクリプトであるのかを判定し、しかるべきフォーマッタ部８ないし９へ転送されて画像データに展開され、この画像データはデータ処理部１２１に転送された後、ファクシミリ部４やプリンタ部２へ転送される。ファクシミリ部４からの画像データは、データ処理部１２１へ転送された後、プリンタ部２やファイル部５、ネットワークインターフェイス部７へ転送される。また、ファイル部５からの画像データは、データ処理部１２１へ転送された後、ブリンタ部２やファクシミリ部４、ネットワークインターフェイス部７へ転送される。ＣＰＵ１２３はメモリ１２４に記憶されている制御プログラム、及びリーダ部１から転送された制御コマンドに従ってこのような制御を行う。また、メモリ１２４はＣＰＵ１２３の作業領域としても使われる。ネットワークインターフェイス部７にはMIB(Management Information Base)と呼ばれるデーターベースが構築されており、SNMPプロトコルを介してネットワーク上のコンピュータと通信し、プリンターの管理が可能になっている。部門IDごとに設定可能なプリント枚数やその他の各種設定が装置の操作部あるいはネットワーク上のコンピュータから設定、管理が可能となっている。
【００１４】
図６は１１５の操作部の模式図である。操作部はタッチパネルのＬＣＤ（液晶表示）部２２００とキー操作部２２３０とからなっており、図５はＬＣＤ部２２００のフローチャートを示している。このフローチャートは、複写動作を行うためのコピーモード（Ｓ２１１０）、スキャン送信を行う送信（Ｓｅｎｄ）モード（Ｓ２１２０）、ボックスからの取り出しや編集を行うためのボックスモード（Ｓ２１３０）、各種設定を行うオプションモード（Ｓ２１４０）、システムの状況を知るためのシステムモニタ（Ｓ２１５０）などのモードが用意されており、図６のＬＣＤ部２２００のモード選択キー２２０１〜２２０５を押下することでこれらのモードが切り替わる仕組みになっている。
【００１５】
図６では、コピー部数のほかに、紙サイズ、変倍率、画像モードや仕上げ方法などを設定して、スタートキー２２３１を押下すると、コピー動作を行うことができる。
【００１６】
このように、コア部１０を中心に、原稿画像の読み取り、画像のプリント、画像の送受信、画像の保存、コンピュータからのデータの入出力などの機能を複合させた処理を行うことが可能である。
【実施例１】
【００１７】
マルチファンクションプリンタ（以下MFP）において、通信手段を有する他のデバイスと接続可能なインターフェース・ポートとユーザ認証を行う手段と、認証時のログイン情報（ユーザＩＤ），接続したデバイスの固有情報（デバイスＩＤ）とMFPの固有ID（デバイスＩＤ、ＭＡＣアドレス、ＩＰアドレス）から暗号化キー情報を生成して前記デバイスに転送する手段とを備える。また、当該MFPは、前記暗号化キー情報を元に当該MFPと前記デバイス間で行ったジョブの処理情報をレジュームデータとして随時暗号化しつつ保存する手段を備える。当該MFPは前記デバイスとの接続が解除されるとジョブの終了か中断かを判別して終了の場合はレジュームデータを消去し、中断の場合はそのまま保持する。ユーザ認証後前記デバイスを再接続して作業を再開時には暗号化キーをデバイスより読み出してレジュームデータをロードして復号化を行い作業の再開を行う。
【００１８】
図７に本実施例のシステム構成図を示す。
【００１９】
図８に本実施例のシステム全体の処理フロー図を示す。
【００２０】
（１）ユーザ認証を行い、デバイスを接続する。
【００２１】
（２）認証時のログイン情報（ユーザＩＤ等），接続したデバイスの固有情報、MFPの固有ID（デバイスＩＤ,ＭＡＣアドレス，ＩＰアドレス）から暗号化キーデータを生成して、デバイスに転送する。
【００２２】
（３）MFPはジョブの作業中に処理情報をレジュームデータとして２）で生成した暗号化キーデータに対応した暗号化を行いつつバックアップを行う。
【００２３】
（４）デバイスの接続が切断された場合はユーザに作業の終了か中断かを確認する。終了の場合はレジュームデータを消去する。
中断条件：連携終了確認の有無、通信の可否（通信の切断）、操作の有無、機器間の処理動作の有無、デバイスの電源状態（スリープ含む）
（５）作業再開時に当該デバイスが中断前と同じMFPに接続された場合は、デバイスの暗号化キーの情報からレジュームデータを読み出して再開する。
【００２４】
図９に本実施例のMFP側のフローチャートを示す。
【００２５】
図１０に本実施例の接続デバイス側のフローチャートを示す。
【実施例２】
【００２６】
実施例１の画像形成装置において、作業の再開を同一ネットワーク上の他の画像形成装置で中断した作業の再開を行う際には、認証を行いデバイスを接続された画像形成装置はデバイスから暗号化キーデータを読み込む。前記画像形成装置は暗号化キーの情報から前回作業を行った画像形成装置よりレジュームデータを移動してジョブの再開を行う。
【００２７】
図１１に本実施例のシステム全体の処理フローを示す。
【００２８】
（１）MFP-Bでユーザ認証を行う。
【００２９】
（２）デバイスの再接続を行い、暗号化キーＡを送る
（３）暗号化キーＡからMFP-Aのネットワークアドレスを抽出、MFP-Aに対してレジュームデータの移動要求を送る。
【００３０】
（４）FP-AはMFP-Bの暗号化キーＡを確認後レジュームデータＡをMFP-Bへムーブする。
【００３１】
（５）暗号化キーＡとレジュームデータＡより中断した作業状態を復元し、復元が完了したら完了通知をデバイスに転送し、デバイスは暗号化キーＡを消去する。
【００３２】
（６）認証時のログイン情報，接続したデバイスの固有情報、MFP-Bの固有IDから暗号化キーデータＢを新たに生成して、デバイスに転送する。
【００３３】
（７）連携作業を再開し、更にMFP-Bはジョブの作業中に処理情報をレジュームデータＢとして（６）で生成した暗号化キーデータに対応した暗号化を行いつつバックアップを行う。
【００３４】
（８）作業が終了したら暗号化キーとレジュームデータを消去。作業を中断する場合は実施例1の（４）以降と同じ処理を行う。
【００３５】
図１２に本実施例のMFP-B側のフローチャートを示す。
【００３６】
図１３に本実施例の接続デバイス側のフローチャートを示す。
【図面の簡単な説明】
【００３７】
【図１】本発明実施例を適用する画像処理装置のブロック図である。
【図２】リーダ部及びプリンタ部の断面図である。
【図３】リーダ部のブロック図である。
【図４】コア部のブロック図である。
【図５】操作部のフローチャートである。
【図６】操作部の模式図である。
【図７】実施例１のシステム構成図である。
【図８】実施例１のシステム全体のフロー図である。
【図９】実施例１のMFP側のフローチャートである。
【図１０】実施例１の接続デバイス側のフローチャートである。
【図１１】実施例２のシステム全体のフロー図である。
【図１２】実施例２のMFP−Ｂ側のフローチャートである。
【図１３】実施例２の接続デバイス側のフローチャートである。
【符号の説明】
【００３８】
１  リーダ部
２  プリンタ部
３  画像入出力制御部
４  ファクシミリ部
５  ファイル部
７  ネットワークインターフェイス部
８  フオーマッタ部
９  イメージメモリ部
【図１】
2009152764.tif 000003
【図２】
2009152764.tif 000004
【図３】
2009152764.tif 000005
【図４】
2009152764.tif 000006
【図５】
2009152764.tif 000007
【図６】
2009152764.tif 000008
【図７】
2009152764.tif 000009
【図８】
2009152764.tif 000010
【図９】
2009152764.tif 000011
【図１０】
2009152764.tif 000012
【図１１】
2009152764.tif 000013
【図１２】
2009152764.tif 000014
【図１３】
2009152764.tif 000015